(57)【要約】【課題】より天然芝の風合いに近く、美しい外観の人工芝生を提供する。【解決手段】複数の合成樹脂製の芝糸を束ねた糸束を基布へカットパイル状に植設させて芝葉を構成させる人工芝生であって、前記芝葉に、第一の芝葉と、この第一の芝葉より捲縮されて上端が低くなされた第二の芝葉とを備えさせ、前記第一の芝葉に、緑色に着色させた芝葉と、枯葉色に着色させた芝葉とを備えさせる。前記芝葉に、第一の芝葉と、この第一の芝葉より捲縮させて上端を低くした第二の芝葉とを備えさせるので、前記第一の芝葉が第二の芝葉に支えられて倒伏しにくくなされ、第一の芝葉が上方へ伸びるさまが上方から視認しやすくなされる。また、前記第一の芝葉が、緑色に着色された芝葉と、枯葉色に着色された芝葉とを備えるので、前記枯葉色に着色された芝葉が前記緑色に着色された芝葉と共に上方から視認しやすくなされ、人工芝生の風合いがより天然芝に近いものとなされる。。【選択図】        図１
2014047596.tif 000002
【特許請求の範囲】
【請求項１】
複数の合成樹脂製の芝糸が束ねられた糸束が基布へカットパイル状に植設されて芝葉が構成される人工芝生であって、
前記芝葉が、第一の芝葉と、該第一の芝葉より捲縮されて上端が低くなされた第二の芝葉とを備え、
前記第一の芝葉が、緑色に着色された芝葉と、枯葉色に着色された芝葉とを備えていることを特徴とする人工芝生。
【請求項２】
前記第一の芝葉を形成する芝糸と、前記第二の芝葉を構成する芝糸とが束ねられて前記糸束が形成されていることを特徴とする請求項１に記載の人工芝生。
【発明の詳細な説明】
【技術分野】
【０００１】
本発明は、より天然芝の風合いに近い外観に設ける人工芝生に関するものである。
【背景技術】
【０００２】
芝枯れなどがなくメンテナンスの手間を軽減させるために、基布に合成樹脂製の芝糸を植設させた人工芝生が従来より利用されており、その風合いをより天然芝生に似せるための種々の発明が開示されている。
【０００３】
例えば、特許文献１には、色調を異にする２以上の偏平繊維が相互に倒伏していることを特徴とする人工芝生が開示されている。
【先行技術文献】
【特許文献】
【０００４】
【特許文献１】実開平６−２０５０５号公報
【発明の概要】
【発明が解決しようとする課題】
【０００５】
特許文献１には、緑色の扁平繊維と枯葉色の扁平繊維とを組み合わせて、自然な感じの人工芝生とする構成が示されているが、これらの扁平繊維が相互に倒伏しているので、人工芝生の外観が見苦しく感じられるという問題点があった。
【０００６】
本発明は、より天然芝の風合いに近く、美しい外観の人工芝生を提供するものである。
【課題を解決するための手段】
【０００７】
上記目的を達成するため、本発明は以下のような構成としている。
すなわち本発明に係る人工芝生は、複数の合成樹脂製の芝糸が束ねられた糸束が基布へカットパイル状に植設されて芝葉が構成される人工芝生であって、前記芝葉が、第一の芝葉と、該第一の芝葉より捲縮されて上端が低くなされた第二の芝葉とを備え、前記第一の芝葉が、緑色に着色された芝葉と、枯葉色に着色された芝葉とを備えていることを特徴としている。
【０００８】
本発明に係る人工芝生によれば、糸束に束ねた複数の合成樹脂製の芝糸を基布へカットパイル状に植設させて芝葉を構成させ、前記芝葉に、第一の芝葉と、この第一の芝葉より捲縮させて上端を低くした第二の芝葉とを備えさせるので、前記第一の芝葉が第二の芝葉に支えられて倒伏しにくくなされ、第一の芝葉が上方へ伸びるさまが上方から視認しやすくなされる。
また、前記第一の芝葉が、緑色に着色された芝葉と、枯葉色に着色された芝葉とを備えるので、前記枯葉色に着色された芝葉が前記緑色に着色された芝葉と共に上方から視認しやすくなされ、人工芝生の風合いがより天然芝に近いものとなされる。
また、第一の芝葉が第二の芝葉に支えられることで、第一の芝葉が上方へ伸びるように視認され、前記緑色に着色された芝葉と枯葉色に着色された芝葉とにそれぞれ勢いを感じさせて美しく視認されるようになされる。
【０００９】
また、前記第一の芝葉を形成する芝糸と、前記第二の芝葉を構成する芝糸とを束ねて前記糸束を形成させれば、前記第一の芝葉が第二の芝葉に支えられやすくなされ、前記第一の芝葉に設けられた緑色に着色された芝葉と枯葉色に着色された芝葉とが、上方からより視認しやすくなるので好ましい。
【発明の効果】
【００１０】
本発明に係る人工芝生によれば、より天然芝生の風合いに近い、美しい外観に設けることができる。
【図面の簡単な説明】
【００１１】
【図１】本発明に係る人工芝生の実施の一形態を示す断面図である。
【図２】図１の人工芝生の第一の芝葉が倒伏した状況を示す断面図である。
【発明を実施するための形態】
【００１２】
本発明の実施の形態を図面に基づき具体的に説明する。
１は人工芝生である。
本実施形態の人工芝生は、ポリプロピレン製の平織りの織布を用いた基布２に、複数の芝糸を束ねた糸束をカットパイル状に植設して芝葉３を形成し、基布２の裏面からウレタン樹脂等のバッキング材５を塗布して前記芝葉３を固定している。
【００１３】
前記芝葉３は、第一の芝葉３Ａ、３Ｂ、及び第二の芝葉３Ｃを含んで形成させている。
本実施形態の第一の芝葉３Ａ、３Ｂは、モノフィラメントの芝糸で形成させており、植設させた基布２から直線的に伸びるストレートパイル状に設けている。
【００１４】
本実施形態の第二の芝葉３Ｃは、複数の折れ曲がり部分を備えるように捲縮している。前記第二の芝葉３Ｃは、熱により捲縮する熱捲縮性を備えるモノフィラメントの芝糸で形成させており、具体的にはナイロン６６製の芝糸で形成させている。この芝糸を基布２へカットパイル状に植設させた後、加熱し捲縮加工して、前記第二の芝葉３Ｃを形成させている。
【００１５】
本実施形態の人工芝生１は、前記第二の芝葉３Ｃを形成する芝糸と、前記第一の芝葉３Ａ、３Ｂをそれぞれ形成する芝糸とを束ねて前記糸束を設けており、基布２へカットパイル状に植設された前記第二の芝葉３Ｃと、第一の芝葉３Ａ、３Ｂとが同じ根本からそれぞれ上方へ伸びるように設けている。
また、本実施形態の第一の芝葉３Ａ、３Ｂは、前記捲縮加工では捲縮しない材質の芝糸で形成させており、前記捲縮加工の後もストレートパイル状に伸びるように設けている。具体的には、本実施形態の第一の芝葉３Ａ、３Ｂは、ポリエチレン製の芝糸で形成させている。
そして、前記糸束を基布２へカットパイル状に植設させることで、前記捲縮加工前は、前記第一の芝葉３Ａ、３Ｂと、第二の芝葉３Ｃとが、それぞれ同じ高さに設けられ、前記捲縮加工によって前記第二の芝葉３Ｃが複数の折れ曲がり部分を有するように捲縮させて、前記第二の芝葉３Ｃを第一の芝葉３Ａ、３Ｂより低い高さに設けている。
【００１６】
本実施形態の第一の芝葉３Ａを形成する芝糸は緑色に着色された１４００デシテックスのモノフィラメントであり、第一の芝葉３Ｂを形成する芝糸は前記第一の芝葉３Ａを形成する芝糸より若干細い枯葉色に着色された１０００デシテックスのモノフィラメントであり、第二の芝葉３Ｃを形成する芝糸は、前記第一の芝葉３Ａとは異なる色調の緑色に着色された５００デシテックスのモノフィラメントである。
基布２へ植設させる前の前記糸束は、前記第一の芝葉３Ａを形成する芝糸４本と、前記第一の芝葉３Ｂを形成する芝糸１本と、前記第二の芝葉３Ｃを形成する芝糸７本とが一束に束ねられて設けられている。前記糸束が基布２へカットパイル状に植設されると、切断された前記糸束の中央付近が前記基布２の裏側で固定され、切断された前記糸束の両端が前記基布２の上方へそれぞれ伸びるように設けられるため、本実施形態の人工芝生１は、前記芝葉３の一つの根本から、緑色の芝葉を形成する８本の第一の芝葉３Ａと、枯葉色の芝葉を形成する２本の第二の芝葉３Ｂと、緑色の芝葉を形成する１４本の第二の芝葉３Ｃとがそれぞれ上方へ伸びるように設けられている。
尚、図１、及び後述する図２では、図面の簡略化のために、第一の芝葉３Ａ、３Ｂと、第二の芝葉３Ｃの本数を本実施形態の本数より少なく描いている。
【００１７】
前記第一の芝葉３Ａと、第二の芝葉３Ｃとは、それぞれ異なる緑色に着色させているが、ここでいう緑色とは、具体的には、マンセル表色系において、色層が１ＧＹ〜７．５ＢＧの範囲内にある色調である。
また、前記第一の芝葉３Ｂは枯葉色に着色させているが、ここでいう枯葉色とは緑色の植物の葉等が枯れて変色してあらわれる黄色、ベージュ色、茶色などであり、具体的には、マンセル表色系において、色層が１ＹＲ〜１０Ｙの範囲内にある色調である。
【００１８】
前記第一の芝葉３Ａ、３Ｂは、捲縮させた第二の芝葉３Ｃよりも先端の高さを高く設けるので、この第二の芝葉３Ｃにより第一の芝葉３Ａ、３Ｂが支えられて倒伏しにくくなされる。また、前記第二の芝葉３Ｃを捲縮させているので、第二の芝葉３Ｃの一部が基布２の上面に接触するなどしてその形状や配置の安定性が良好となり、前記第一の芝葉３Ａ、３Ｂがより安定的に支持されるようになされる。
【００１９】
また、第一の芝葉３Ａと第一の芝葉３Ｂとが前記第二の芝葉３Ｃに支持されることで、前記人工芝生１を上方から目視したときに、第一の芝葉３Ａと第一の芝葉３Ｂとがそれぞれ良好に視認されるようになされる。また、前記第二の芝葉３Ｃに支持されることで、前記第一の芝葉３Ａ、３Ｂが上方へ伸びた状態が維持されやすくなされ、人工芝生１を目視した観者に前記第一の芝葉３Ａ、３Ｂに勢いがあるように印象づけて、より美しく感じさせる効果が期待できる。
【００２０】
また、枯葉色に着色した前記第一の芝葉３Ｂを形成する芝糸に、緑色に着色した前記第一の芝葉３Ａを形成する芝糸よりも細い糸を用いることで、枯れて細くなった芝葉として認識しやすくなされる。
【００２１】
図２は図１の人工芝生の第一の芝葉３Ａ、３Ｂが倒伏した状況を示す断面図である。
枯葉色に着色した第一の芝葉３Ｂを、緑色に着色した第一の芝葉３Ａと共に植設させて、前記第二の芝葉３Ｃに支持されるように設けることで、第一の芝葉Ｂが倒伏した場合でも、他の前記第二の芝葉３Ｃの下に埋没するような状態が生じにくくなされる。倒伏した第一の芝葉３Ａ、３Ｂは、基布２に植設された根本から倒れるのではなく、図２のように芝葉の途中で曲がって捲縮させた第二の芝葉３Ｃの上へ倒れ込むような状態となりやすく、倒伏した状態でも上方から良好に視認できるようになされる。
このため、芝葉３における第一の芝葉Ｂの割合を小さく設けても観者に良好に視認させることができ、芝葉３における枯葉色の第一の芝葉Ｂの割合を必要以上に大きく設けて、人工芝生１の美観を損なうような問題が生じにくくなされる。
【００２２】
本実施形態の前記第二の芝葉３Ｃは、ナイロン６６製の芝糸で形成させているが、これに限るものではなく、捲縮加工が可能な材質の芝糸を適宜選択して用いることができる。例えば、加熱による捲縮性を備える材質として、ナイロン６などナイロン６６以外のポリアミドや他の合成樹脂を利用しても良く、加熱以外の方法によって捲縮する捲縮性を有する合成樹脂を利用してもよい。
【００２３】
本実施形態の第一の芝葉３Ａ、３Ｂは、ポリエチレン製の芝糸で形成させているが、これに限るものではなく、前記第二の芝葉３Ｃを捲縮させるための捲縮加工で捲縮しない、又は捲縮の度合いが前記第二の芝葉Ｃよりも小さな材質の芝糸を適宜選択して用いることができる。  
【符号の説明】
【００２４】
１    人工芝生
２    基布
３    芝葉
３Ａ  第一の芝葉
３Ｂ  第一の芝葉
３Ｃ  第二の芝葉
５    バッキング材
【図１】
2014047596.tif 000003
【図２】
2014047596.tif 000004